(57)【要約】【課題】観察者に対し、表現するアピール性が優れた表示装置を提供する。【解決手段】行列状に配列された発光素子からなる表示体が直線状に複数個配置された表示部４〜７と、文字情報および背景情報が記憶された記憶部１３と、制御部１０とを備え、前記制御部１０は前記表示部４〜７に対し、前記文字情報に従い、文字を動画表示させると共に、前記背景情報に従い、背景対象物を動画表示させる。【選択図】図２
2005156789.tif 000002
【特許請求の範囲】
【請求項１】
行列状に配列された発光素子からなる表示体が直線状に複数個配置された表示部と、文字情報および背景情報が記憶された記憶部と、制御部とを備え、前記制御部は前記表示部に対し、前記文字情報に従い、文字を動画表示させると共に、前記背景情報に従い、背景対象物を動画表示させる事を特徴とする表示装置。
【請求項２】
前記文字と前記背景対象物が重なった場合、前記制御部は、前記背景対象物よりも前記文字を優先して表示させる事を特徴とする請求項１の表示装置。
【請求項３】
前記記憶部は、複数種類の文章と、複数種類の文字動画パターンと、複数種類の背景対象物パターンとを記憶しており、前記文章と前記文字動画パターンと前記背景対象物パターンの組合せが任意に選択される様に構成された事を特徴とする請求項１の表示装置。
【請求項４】
複数の前記表示部が行列状に配列された表示手段が設けられ、前記発光素子は赤色発光ダイオードと青色発光ダイオードと緑色発光ダイオードからなり、各発光ダイオードが点灯または消灯または階調される事を特徴とする請求項１の表示装置。
【発明の詳細な説明】
【技術分野】
【０００１】
本発明は表示装置に関する。
【背景技術】
【０００２】
従来、この種の装置は、例えば特許文献１に示されている。この特許文献１の図１によると、情報表示部１と装飾表示部２が示されている。この情報処理部１は行列状に配列された複数の発光素子からなる表示体Ａ１〜Ａ６から構成されている。装飾表示部２は、情報処理部１の周囲に配置された１６個の発光ダイオードからなる。
【特許文献１】特開２００３−３６０４５号公報
【発明の開示】
【発明が解決しようとする課題】
【０００３】
この装置を例えば、広告用表示装置として用いる場合、観察者（例えば、歩道を歩いている人々など）は、上記装置の表示部１，２を見ることができる。しかし、装飾表示部２は静止画であるため、観察者に対し、表現するアピール性が乏しい、欠点がある。そこで本発明はこの様な従来の欠点を考慮し、観察者に対し、表現するアピール性が優れた表示装置を提供する。
【課題を解決するための手段】
【０００４】
上記課題を解決するために、請求項１の本発明では、行列状に配列された発光素子からなる表示体が直線状に複数個配置された表示部と、文字情報および背景情報が記憶された記憶部と、制御部とを備え、前記制御部は前記表示部に対し、前記文字情報に従い、文字を動画表示させると共に、前記背景情報に従い、背景対象物を動画表示させる。
【０００５】
請求項２の本発明では、前記文字と前記背景対象物が重なった場合、前記制御部は、前記背景対象物よりも前記文字を優先して表示させる。
【０００６】
請求項３の本発明では、前記記憶部は、複数種類の文章と、複数種類の文字動画パターンと、複数種類の背景対象物パターンとを記憶しており、前記文章と前記文字動画パターンと前記背景対象物パターンの組合せが任意に選択される様に構成された。
【０００７】
請求項４の本発明では、複数の前記表示部が行列状に配列された表示手段が設けられ、前記発光素子は赤色発光ダイオードと青色発光ダイオードと緑色発光ダイオードからなり各発光ダイオードが点灯または消灯または階調される。
【発明の効果】
【０００８】
請求項１の本発明では、行列状に配列された発光素子からなる表示体が直線状に複数個配置された表示部と、文字情報および背景情報が記憶された記憶部と、制御部とを備え、制御部は表示部に対し、文字情報に従い、文字を動画表示させると共に、背景情報に従い、背景対象物を動画表示させる。この様に、文字および背景対象物を同時に動画表示させるので、文字表示が目立ち、観察者に対し、アピール性が極めて高い。
【０００９】
請求項２の本発明では、文字と背景対象物が重なった場合、制御部は、背景対象物よりも文字を優先して表示させる。上記構成により、文字を優先表示させるので、この表示装置のユーザ（所有者など）は観察者に対し、より重要な情報を視認させることができる。
【００１０】
請求項３の本発明では、記憶部は、複数種類の文章と、複数種類の文字動画パターンと、複数種類の背景対象物パターンとを記憶しており、文章と文字動画パターンと背景対象物パターンの組合せが任意に選択される様に構成された。この様に、文章と文字動画パターンと背景対象物の組合せが任意に選択できるので、ユーザは自分が最も好む表示パターンを表示させる事ができる。
【００１１】
請求項４の本発明では、複数の表示部が行列状列された表示手段が設けられ、発光素子は赤色発光ダイオードと青色発光ダイオードと緑色発光ダイオードからなり、各発光ダイオードが点灯または消灯または階調される。上記構成により、ユーザは、自分が最も好む表示手段の形態（表示部の行数が何個、列数が何個ということ）を選ぶ事ができる。また上記発光素子の構成により、ユーザは自分が最も好む表示色のパターンを選ぶことができる。
【発明を実施するための最良の形態】
【００１２】
以下に、図１と図２と図４に従い、本発明を実施するための最良の形態に係る表示装置１を説明する。図１は表示装置１の概略構成図、図２は表示装置１のブロック図、図４は図１に用いられる表示手段２の平面図である。
【００１３】
これらの図において、１個の表示体３を構成する回路基板上には、４８本の行電極と１６本の列電極（共に図示せず）が形成されている。各発光素子（各ドット）は例えば１個の赤色発光ダイオードと、１個の緑色発光ダイオードと、１個の青色発光ダイオードとにより、構成されている。この様にして、縦が１６個、横が１６個、合計１６×１６＝２５６個の発光素子が行列状に配列されたものが、表示体３である。
【００１４】
各列において、１６個の赤色発光ダイオードの各アノードは、第１行目、第４行目、…第４６行目の行電極に接続されている。各列において、１６個の緑色発光ダイオードの各アノードは、第２行目、第５行目、…第４７行目の行電極に接続されている。各列において、１６個の青色発光ダイオードの各アノードは、第３行目、第６行目、…第４８行目の行電極に接続されている。
【００１５】
第１行目、第４行目、…第４６行目の各行電極は、１個の赤色用定電流ドライバの各出力端子に接続されている。上記ドライバの入力側には、クロック信号Ｃと、データＤ１が入力される。
【００１６】
第２行目、第５行目、…第４７行目の各行電極は、１個の緑色用定電流ドライバの各出力端子に接続されている。上記ドライバの入力側には、クロック信号Ｃが入力され、赤色用定電流ドライバを介して、データＤ１が入力される。
【００１７】
第３行目、第６行目、…第４８行目の各行電極は、１個の青色用定電流ドライバの各出力端子に接続されている。上記ドライバの入力側には、クロック信号Ｃが入力され、緑色用定電流ドライバを介して、データＤ１が入力される。
【００１８】
各列において、１６個の赤色発光ダイオードと、１６個の緑色発光ダイオードと、１６個の青色発光ダイオードの各カソードは共通化され、各々、第１列目、第２列目、…第１６列目の列電極に接続されている。
【００１９】
１６個の列電極は例えば、１個の点灯制御ドライバの各出力端子に接続されている。点灯制御ドライバの入力側には、スキャン信号Ｓが入力される。この点灯制御ドライバは、第１列目の列電極から第１６列目の列電極までを、順次、スキャン（走査）する様に構成されている。
【００２０】
上記赤色、緑色、青色用定電流ドライバに、データ信号Ｄ１が入力されると、これらのドライバは、第１行目の行電極から第４８行目の行電極に対し、パラレルにデータを出力する。上記構成により、データ信号Ｄ１に従って、２５６個の発光素子（即ち、７６８個の発光ダイオード）は、点灯または消灯または階調される事により，表示体３は所定の表示を行う。
【００２１】
この様に、各表示体３は、２５６個の発光素子と、４８本の行電極と、１６本の列電極と、１個の赤色用定電流ドライバと、１個の緑色用定電流ドライバと、１個の青色用定電流ドライバと、１個の点灯制御ドライバを有している。
【００２２】
表示部４は、第１行目の複数個（例えば８個）の表示体３が直線状に配置されたものである。表示部５は、第２行目の複数個（例えば８個）の表示体３が直線状に配置されたものである。表示部６は、第３行目の複数個（例えば８個）の表示体３が直線状に配置されたものである。表示部７は、第４行目の複数個（例えば８個）の表示体３が直線状に配置されたものである。
【００２３】
表示手段２は、表示部４，５，６，７が行列状に配列されたものである。例えば、図１によると、表示手段２は、表示部４〜７が４行１列に配置されたものである。また、必要に応じて、表示部４と５が直線状に配列されても良い。この時、表示手段は、１行２列となる。
【００２４】
入力部８は例えば、シリアルポートからなる。入力部８は、バッファ９を介して制御部１０に接続されている。制御部１０は例えばＣＰＵ等からなる。
【００２５】
バス１１は、データやアドレスが通過する。プログラムロム１２は例えばフラッシュロム等からなり、制御部１０の制御プログラムを記憶しており、バス１１に接続されている。記憶部１３は例えばフラッシュロムからなり、後述する文字情報および背景情報を記憶しており、バス１１に接続されている。
【００２６】
ラン制御器１４はバッファ１５を介して、バス１１に接続されている。ラム１６はランダムアクセスメモリからなり、例えば、時計データや、複数の文章（後述）の中で、何個表示させるかのデータを記憶しており、バス１１に接続されている。
【００２７】
ラム制御器１７はラム１６を制御するものであり、バス１１に接続されている。ラム制御器１７は、バッファ１８を介して、表示手段２に接続されている。
【００２８】
上記部品８，９，１０，１１，１２，１３，１４，１５，１６，１７，１８等により、制御手段１９は構成されている。制御手段１９と表示手段２とにより、この表示装置１は構成されている。
【００２９】
外部機器２０（例えばパソコンなど）は、ケーブル（図示せず）を介して、表示装置１を構成する入力部８に接続されている。例えば、ユーザは、外部機器２０のキーボードに入力すると、複数の文字は、入力部８と制御部１０とバス１１を介して、記憶部１３に記憶される。
【００３０】
例えば、記憶部１３において、文章１（いらっしゃいませ）と、文章２と、文章３と、文章４と、文章５と、文章６等が記憶されている。
【００３１】
そして、ユーザは外部機器２０の画面に表示された、複数の文字動画パターンを、マウスにてクリックする。その結果、複数の文字動画パターンは、入力部８と制御部１０とバス１１を介して、記憶部１３に接続される。
【００３２】
例えば、記憶部１３において、文字動画パターンとして、ランニング表示、フロー表示、バックランニング表示、フラッシュ表示が記憶される。それと同時に、文字動画パターンにおける、文章の文字の表示色と、文章の表示位置（第２行目に表示させる等のこと）と文章の文字サイズは、ユーザにより選択されたものが記憶されている。
【００３３】
また、ユーザは外部機器２０の画面に表示された、複数の背景対象物パターンを、マウスにてクリックする。その結果、複数の背景対象物パターンは、入力部８と制御部１０とバス１１を介して、記憶部１３に記憶される。例えば、背景対象物パターンとして、雪、桜、流れ星、矢印、花火、時計等が記憶部１３に記憶される。
【００３４】
次に、ユーザは自分が好むものとして、外部機器２の画面に表示される各パターンを、マウスにてクリックする事により、選択する。例えば、文章として文章１が選択され、文字動画パターンとしてランニング表示が選択され、背景対象物パターンとして、流れ星が選択されたとする。
【００３５】
この様に、記憶部１３は、複数種類の文章と、複数種類の文字動画パターンと、複数種類の背景対象物パターンとを記憶している。そして、文章と文字動画パターンと背景対象物パターンの組合せは、ユーザにより任意に選択できる様に、構成されている。
【００３６】
次に、図３ないし図５に従い、この表示装置１の動作を説明する。図３は、表示装置１の主要動作を示すフローチャート、図５は表示手段２の平面図であり、図４に続く表示状態を示す。
【００３７】
これらの図において、最初にユーザは、表示装置１に設けられた運転開始スイッチ（図示せず）を押すことにより、制御動作は開始する。
【００３８】
制御部１０は、表示手段２を表示する文章を選択する（図３のＳ１を参照）。この時に記憶部１３には、予め文字情報（文章と、文字動画パターン）が記憶され、かつ、文章１とランニング表示が選択されている。この様にして、制御部１は文章１を選択する。
【００３９】
次に、制御部１０は、文章の表示モード（文字動画パターンの事）を選択する（Ｓ２参照）。上述の様に、制御部１０はランニング表示を選択し、第２行目の表示部５を選択する。
【００４０】
そして、制御部１０は、背景情報が有るか否かを判定する（Ｓ３参照）。上記説明では背景情報として、背景対象物パターン（流れ星）が記憶されているので、制御部１０はＳ３の判定を肯定する。
【００４１】
次に制御部１０は、表示する背景を選択する（Ｓ４参照）。上記説明では、流れ星が選択されているので、制御部１０は表示する背景として、流れ星を選択する。
【００４２】
そして制御部１０は表示方法を決定し、実行する（Ｓ５参照）。即ち制御部１０は文字情報として、文章１およびランニング表示を決定し、背景情報として、背景対象物パターン（流れ星）を決定する。
【００４３】
制御部１０は、上記文字情報と上記背景情報を組合せて（演算して）、データＤ１，Ｄ２，Ｄ３，Ｄ４を作成する。そして制御部１０は表示部４，５，６，７に対し、各々、データＤ１，Ｄ２，Ｄ３，Ｄ４を出力する。
【００４４】
その結果、図４と図５に示す様に、文字２１（文章であり、「いらっしゃいませ」）がランニング表示される。それと同時に、背景対象物（黒い星印で表示した流れ星の事）が移動して表示される。なお、白い星印は、静止している星を示し、移動しない。
【００４５】
以上の結果をまとめる。制御部１０は表示部４，５，６，７に対し、文字情報に従い、文字２１を動画表示させる。それと同時に、制御部１０は背景情報に従い、背景対象物２２を動画表示させる。
【００４６】
また、文字２１と背景対象物２２とが重なった場合、制御部１０は、背景対象物２２よりも文字２１を優先して表示させる。例えば、背景対象物２２は、赤色発光ダイオードと緑色発光ダイオードと青色発光ダイオードが、共に点灯されるドット（発光素子）であるとする。そして、文字２１は、赤色発光ダイオードのみが点灯されるドット（発光素子）であるとする。
【００４７】
文字２１と背景対象物２２とが重なった場合、制御部１０は、重なった部分において、赤色発光ダイオードのみを点灯させる様に制御する。その結果、文字２１は、背景対象物２２よりも上側（即ち、観察者に近い側）に表示される。故に、文字２１の方が優先して表示される。
【図面の簡単な説明】
【００４８】
【図１】本発明を実施するための最良の形態に係る表示装置１の概略構成図である。
【図２】上記表示装置１のブロック図である。
【図３】上記表示装置１の主要動作を示すフローチャートである。
【図４】上記表示装置１に用いられる表示手段２の平面図である。
【図５】上記表示手段２の平面図であり、図４に続く表示状態を示す。
【符号の説明】
【００４９】
４，５，６，７  表示部
１０  制御部
１３  記憶部
【図１】
2005156789.tif 000003
【図２】
2005156789.tif 000004
【図３】
2005156789.tif 000005
【図４】
2005156789.tif 000006
【図５】
2005156789.tif 000007